(57)【特許請求の範囲】
【請求項１】
賞球貯留部から２列になって流下してくる賞球を１列に整流する、弾球遊技機における賞球整流送出装置であって、
第１列の賞球が流れる第１流路と、
第２列の賞球が流れる第２流路と、
前記第１流路を流れてくる賞球と前記第２流路を流れてくる賞球とがほぼ相反する方向から一対ずつ流入し衝突して合流する合流部と、
前記合流部の下流側に設けられ、合流部において衝突し合流した賞球が一対ごと並んで落下する落下部と、
前記落下部の下方に設けられ、下方に向かうにつれて前記落下部における賞球の並び方向成分を有する方向に向かう斜底部と、
前記斜底部から連なる排出路と
を有する、弾球遊技機における賞球整流送出装置。
【請求項２】
請求項１に記載の、弾球遊技機における賞球整流送出装置であって、
前記合流部が、ほぼ水平な回転軸線を中心に回転可能に設けられ当該回転軸線から複数の仕切板部が放射状に延びる回転仕切部材を有し、前記第１流路及び前記第２流路を各々流れてくる賞球が、隣接する前記仕切板部間の空間内にほぼ相反する方向から一対ずつ流入し衝突して合流するものである、弾球遊技機における賞球整流送出装置。
【請求項３】
請求項２に記載の、弾球遊技機における賞球整流送出装置であって、
前記回転仕切部材の各仕切板部の両側端面部が、一回転方向側に向かうにつれて当該仕切板部の幅が広くなる方向に向かうように斜めに形成されている、弾球遊技機における賞球整流送出装置。
【発明の詳細な説明】
【０００１】
【発明の属する技術分野】
この発明は、パチンコ機等の弾球遊技機における賞球整流送出装置に関するものである。
【０００２】
【従来の技術】
従来のパチンコ機（賞球整流送出装置）として、特開平１−３７９８０号公報に開示されているものがある。
そのパチンコ機は、裏側の上方に賞球貯留部を有しており、その賞球貯留部から２列になって流下してくるパチンコ球（賞球）は、賞球整流送出装置によって１列に整流された状態で流下して、賞球排出装置へ至る。そして、表側の遊技盤上において遊技者によって発射されたパチンコ球が入賞口に入賞することに基づいて、所定の数のパチンコ球が賞球排出装置から排出され、表側の球皿へ送出される。
【０００３】
上記の賞球整流送出装置は、２列の整流路の下流部に歯車状の整流盤を各々有している。その２つの整流盤は、半ピッチずれた状態で相対的に固定され、全体として回転可能に設けられている。そして、２列の整流路を流下してくるパチンコ球による圧力に基づいてその整流盤が回転することによって、その２列の整流路から交互に１つずつパチンコ球が流下するようにされている。
【０００４】
【発明が解決しようとする課題】
ところで、賞球排出装置は、前述したように、遊技者によって遊技盤上に発射されたパチンコ球が所定の入賞口に入った場合に、その入賞口の種類に応じて所定の数のパチンコ球を賞球として排出するものである。このため、賞球排出装置は精密な機構によって構成されており、流下してくるパチンコ球による圧力をあまり受けない方が好ましい。
【０００５】
しかしながら、上記従来のパチンコ機では、上方に設けられた賞球貯留部から流下してくるパチンコ球（賞球）の大きな圧力が賞球排出装置に加わり、賞球排出装置に大きな負担をかけている。すなわち、賞球貯留部から賞球排出装置までの高低差に基づく大きな球圧が賞球排出装置に加わるのである。なお、上記従来のパチンコ機では、賞球排出装置の上流側に「く」の字状に曲げられた球圧軽減路が設けられており、多少はその圧力（球圧ともいうこととする）が軽減されるものの、それ以外には特に球圧を軽減する機構は設けられておらず、賞球排出装置にかかる負担はやはり大きいのである。
【０００６】
そこで、本発明は、２列になって流下してくる賞球を１列に整流するとともに、下流側に設けられた装置に加わる賞球の圧力を軽減することができる賞球整流送出装置を提供することを課題とする。
【０００７】
【課題を解決するための手段】
上記の課題を解決するために、請求項１に係る発明は、賞球貯留部から２列になって流下してくる賞球を１列に整流する、弾球遊技機における賞球整流送出装置であって、第１列の賞球が流れる第１流路と、第２列の賞球が流れる第２流路と、前記第１流路を流れてくる賞球と前記第２流路を流れてくる賞球とがほぼ相反する方向から一対ずつ流入し衝突して合流する合流部と、前記合流部の下流側に設けられ、合流部において衝突し合流した賞球が一対ごと並んで落下する落下部と、前記落下部の下方に設けられ、下方に向かうにつれて前記落下部における賞球の並び方向成分を有する方向に向かう斜底部と、前記斜底部から連なる排出路とを有する、弾球遊技機における賞球整流送出装置である。
【０００８】
「第１列の賞球」「第２列の賞球」とは、各々、賞球貯留部から２列になって流入してくる賞球のうちの第１列の賞球及び第２列の賞球のことをいう。
【０００９】
この発明の賞球整流送出装置では、次のように賞球が整流される。賞球貯留部から２列になって流入してくる賞球のうちの第１列の賞球が第１流路を流通して合流部に流入し、同様に、第２列の賞球が第２流路を流通して合流部に流入し、合流部においてその賞球がほぼ相反する方向から一対ずつ衝突して合流する。そして、その賞球が一対ごと並んで落下部を落下し、斜底部に着地する。そして、その一対の賞球は、低い位置に着地した賞球が先、高い位置に着地した賞球が後の順をもって、その斜底部の傾斜に沿って流下し、その順をもって排出路を流出する。上記の作用が一対の賞球ごとに順次行われることによって、２列になって流入してくる賞球が１列に整流されるのである。
【００１０】
この発明の賞球整流送出装置では、上記のように賞球が整流される際に、次の作用効果が得られる。合流部において賞球がほぼ相反する方向から一対ずつ衝突することによって、その両賞球のエネルギーが十分に散逸する。このため、それよりも下流側に設けられた装置に加わる賞球の圧力は、その散逸されたエネルギーの分、軽減されることとなる。このため、当該下流側に設けられた装置（例えば賞球排出装置）に対する負荷が十分に軽減され、当該装置の十分な保護が図られるのである。
【００１１】
なお、上述のように、「斜底部」は、下方に向かうにつれて落下部における賞球の並び方向成分を有する方向に向かうものであればよい。すなわち、下方に向かうにつれて落下部における賞球の並び方向（すなわちその並び方向と同一方向）に向かうものが代表例であるが、その方向に限らず、落下部における賞球の並び方向からねじれていても、落下部における賞球の並び方向成分を有する方向であればよい。
【００１２】
請求項２に係る発明は、請求項１に係る発明であって、前記合流部が、ほぼ水平な回転軸線を中心に回転可能に設けられ当該回転軸線から複数の仕切板部が放射状に延びる回転仕切部材を有し、前記第１流路及び前記第２流路を各々流れてくる賞球が、隣接する前記仕切板部間の空間内にほぼ相反する方向から一対ずつ流入し衝突して合流するものである、弾球遊技機における賞球整流送出装置である。
【００１３】
この発明の賞球整流送出装置では、請求項１に係る発明に加えて、次の作用効果が得られる。
前述のようにして第１流路及び第２流路を流れてくる賞球は、合流部において、回転仕切部材のうちの隣接する仕切板部間の空間内に、ほぼ相反する方向から一対ずつ流入し衝突して合流する。そして、その賞球に加わる重力に基づいて回転仕切部材が回転することによって、その賞球は仕切板部による支持を失い、その賞球は一対ごと並んで落下部を落下していく。
このように、この発明の賞球整流送出装置では、合流部において賞球が一対ずつ衝突して落下部を一対ごと落下する、ということが確実に得られ、請求項１に係る発明の作用効果を確実に得ることができるのである。
【００１４】
請求項３に係る発明は、請求項２に係る発明であって、前記回転仕切部材の各仕切板部の両側端面部が、一回転方向側に向かうにつれて当該仕切板部の幅が広くなる方向に向かうように斜めに形成されている、弾球遊技機における賞球整流送出装置である。
【００１５】
この発明の賞球整流送出装置では、請求項２に係る発明に加えて次の作用効果が得られる。回転仕切板部が、合流室内に流入しようとする各賞球の当該流入を遮るような角度状態の場合でも、その各賞球がその仕切板部の各側端面部に衝突することによって、仕切板部が前記一回転方向側に移動しようとして回転仕切部材が回転する。こうして、隣接する仕切板部間の空間内にその一対の賞球が確実に流入でき、請求項２に係る発明の作用効果が確実に得られるのである。
【００１６】
【発明の実施の形態】
次に、本発明の一実施形態を図面に基づいて説明する。
図１に示すように、このパチンコ機の裏側の上方には、賞球貯留部２が設けられている。賞球貯留部２はタンク状をしている。賞球貯留部２の下流側には２本の整流路４ａ，４ｂが設けられている。２本の整流路４ａ，４ｂは、その流れ方向に延びる仕切部（図示省略）によって仕切られて並列的に設けられている。各整流路４ａ，４ｂは下り坂状に形成されており、パチンコ球は各整流路４ａ，４ｂを各々１列になって流下する。すなわち、パチンコ球は合計２列で流下する。
【００１７】
整流路４ａ，４ｂの下流側には賞球整流送出装置１０が設けられており、その下流側には賞球排出装置８０が設けられている。賞球排出装置８０は、このパチンコ機の表側に設けられた上側球皿８２ａ及び下側球皿８２ｂに接続されている。
一方、このパチンコ機の表側の遊技盤（図示省略）には複数種類の入賞口（図示省略）が設けられており、遊技者によって遊技盤上に発射されたパチンコ球（遊技球）が遊技盤上を転動した後に入賞口に入った場合に、その入賞口の種類に応じて、所定の数のパチンコ球が、賞球として、上側球皿８２ａ及び下側球皿８２ｂへ排出される。すなわち、このパチンコ機は制御装置（図示省略）を有しており、どの入賞口にパチンコ球（遊技球）が入ったかが、その制御装置によって検知される。そして、その制御装置の制御の下に、賞球排出装置８０によって、その入賞口の種類に応じた所定の数のパチンコ球が賞球として排出され、そのパチンコ球（賞球）が上側球皿８２ａ及び下側球皿８２ｂへと導かれるのである。
【００１８】
次に、賞球整流送出装置１０について詳しく説明する。
図２及び図３に示すように、この賞球整流送出装置１０は、中央部材１２，第１流路形成部材１４，第２流路形成部材１５，蓋部材１６，回転仕切部材５０を有している。そして、回転仕切部材５０が中央部材１２及び蓋部材１６の間に回転可能に配設されるとともに、中央部材１２，第１流路形成部材１４，第２流路形成部材１５，蓋部材１６がビス１８によって結合されて形成されている。
【００１９】
図３〜図６に示すように、この賞球整流送出装置１０は、第１流路２０及び第２流路３０を有している。第１流路２０は、中央部材１２及び第１流路形成部材１４によって四角形断面の管状に形成されている。第２流路３０は、第２流路形成部材１５を主体に形成されており、第１流路形成部材１４及び中央部材１２によって一方の側部が塞がれ、四角形断面の管状に形成されている。
【００２０】
第１流路２０の流入口（第１流入口２１という）及び第２流路３０の流入口（第２流入口３１という）は隣接して設けられている。第１流入口２１（第１流路２０）は前述の整流路４ａ（図１参照）と連結されており、第２流入口３１（第２流路３０）は他方の整流路４ｂと連結されている。
【００２１】
図３〜図５に示すように、第１流路２０は、第１下り坂部２２，第２下り坂部２３，略鉛直部２４，第３下り坂部２５を有している。第１下り坂部２２は図５中右方向に向かうにつれて下方へ向かい、第２下り坂部２３は図５中左方向に向かうにつれて下方へ向かい、略鉛直部２４はほぼ鉛直に下方へ向かい、第３下り坂部２５は図５中右方向に向かうにつれて下方へ向かっている。
【００２２】
第２流路３０は、第１下り坂部３２，略鉛直部３４，第２下り坂部３５を有している。第１下り坂部３２は図５中右方向に向かうにつれて下方へ向かい、略鉛直部３４はほぼ鉛直に下方へ向かい、第２下り坂部３５は図５中左方向へ向かうにつれて下方へ向かっている。
【００２３】
第１流路２０の第１下り坂部２２及び第２流路３０の下り坂部３２は、並列的に設けられている。第１流路２０の略鉛直部２４及び第２流路３０の略鉛直部３４は、対極的に離隔している。第１流路２０の第３下り坂部２５及び第２流路３０の第２下り坂部３５は、対称的にかつ相互に接近するように設けられている。
【００２４】
図３〜図６に示すように、第１流路２０及び第２流路３０の下流側には、合流室４０（合流部に該当する）が設けられている。合流室４０は、中央部材１２及び蓋部材１６にわたって形成されている。図５及び図６に示すように、合流室４０は、扁平な横向き円筒状の円筒殻部４１と、その両端をほぼ塞ぐ円形状の第１端板部４２ａ，第２端板部４２ｂによって形成されている。
【００２５】
図３及び図６に示すように、第１端板部４２ａ（そのうちの中央部材１２の側の部分）には、第１流入部４３ａが形成されている。図４に示すように、第２端板部４２ｂ（そのうちの中央部材１２の側の部分）には、第２流入部４３ｂが形成されている。第１流入部４３ａ及び第２流入部４３ｂは、対向して、ともに孔状に形成されている。第１流入部４３ａは、第１流路２０と合流室４０とを連通させ、第２流入部４３ｂは、第２流路３０と合流室４０とを連通させるものである。
また、図１０に示すように、合流室４０の幅（円筒殻部４１の長さ）は、２つのパチンコ球Ｂａ，Ｂｂが並んで収容される長さとされている。図５及び図６に示すように、合流室４０（円筒殻部４１）の下部には、流出孔部４６が形成されている。これも、２つのパチンコ球が並んで流出できる大きさとされている。
【００２６】
図３〜図６に示すように、合流室４０には、回転仕切部材５０が設けられている。
回転仕切部材５０は中心軸５２（回転軸線に該当する）を有し、中心軸５２から５枚の仕切板部５４が等角度間隔で放射状に延びている。中心軸５２の２つの軸端部５３ａ，５３ｂは、第１端板部４２ａ，第２端板部４２ｂのほぼ中央の軸孔部４８ａ，４８ｂに回転可能に嵌められており、中心軸５２は水平にかつ回転可能に設けられている。
すなわち、図３に示すように、両軸孔部４８ａ，４８ｂは中央部材１２及び蓋部材１６にまたがって形成されており、両軸孔部４８ａ，４８ｂのうち中央部材１２の部分に各軸端部５３ａ，５３ｂが嵌められた状態で、中央部材１２に蓋部材１６が取り付けられることによって、回転仕切部材５０が合流室４０に対して回転可能に取り付けられるのである。
【００２７】
図１４に示すように、各仕切板部５４は、ほぼ平板状をなしているとともに、その両方の側端面部５６ａ，５６ｂは、図６中時計回り方向に向かうにつれて外側方向（すなわち、各仕切板部５４の幅が広くなる方向）に斜めに形成されている。各仕切板部５４の間の空間のことを仕切板部間空間５５ということとする。
【００２８】
図５，図６，図９に示すように、合流室４０の下流側には、落下部６０が形成され、その下流側には流出路７０が形成されている。図３に示すように、落下部６０及び流出路７０も、中央部材１２及び蓋部材１６によって、四角形断面の管状に形成されている。図１０に示すように、落下部６０は鉛直に形成され、落下部６０も、２つのパチンコ球Ｂａ，Ｂｂが並んで位置し得る幅を有している。
【００２９】
図５，図６，図９に示すように、流出路７０は、上流側の第１斜め流出部７１及び下流側の第２斜め流出部７２（排出路に該当する）を有している。第１斜め流出部７１は、下方に向かうにつれて図５中左方向に向かっており、第２斜め流出部７２は下方に向かうにつれて図５中右方向に向かい、その後、鉛直下方に向かっている。流出路７０（第２斜め流出部７２）は、賞球排出装置８０に連結される。流出路７０は、パチンコ球Ｂ（Ｂａ，Ｂｂ）が１列でのみ流下できる管断面を有している。
【００３０】
第１斜め流出部７１のうち図５中右側の部分は、斜底部７５とされている。斜底部７５は落下部６０の下方に形成されており、下方に向かうにつれて図５中左側へ向かっている。すなわち、落下部６０におけるパチンコ球Ｂａ，Ｂｂの並び方向（図５及び図１１中左右方向）のうちの１方向に向かっている。
【００３１】
次に、この賞球整流送出装置１０の作用及び効果について説明する。
図１に示すように、賞球貯留部２に貯留されたパチンコ球（賞球）が、２本の整流路４ａ，４ｂを各々１列（合計２列）で流下してきて、賞球整流送出装置１０に流入する。すなわち、図３及び図５に示すように、一方の整流路４ａを流下してくるパチンコ球Ｂａが第１流入口２１から第１流路２０に流入し、他方の整流路４ｂを流下してくるパチンコ球Ｂｂが第２流入口３１から第２流路３０に流入する。
【００３２】
図３〜図５に示すように、第１流路２０に流入したパチンコ球Ｂａは、順次、第１下り坂部２２，第２下り坂部２３，略鉛直部２４，第３下り坂部２５を流下していく。そして、第１流入部４３ａから合流室４０へと１つずつ流入していく。
一方、第２流路３０に流入したパチンコ球Ｂｂは、順次、第１下り坂部３２，略鉛直部３４，第２下り坂部３５を流下していく。そして、第２流入部４３ｂから合流室４０へと１つずつ流入していく。
【００３３】
図６，図９，図１０に示すように、合流室４０においては、第１流入部４３ａから流入してくる１つのパチンコ球Ｂａが、回転仕切部材５０の１つの仕切板部間空間５５（その際に合流室４０に位置する仕切板部間空間５５）内に流入する。同様に、図９及び図１０に示すように、第２流入部４３ｂから流入してくる１つのパチンコ球Ｂｂが、同時に、回転仕切部材５０の同じ仕切板部間空間５５内に流入する。こうして、２つのパチンコ球Ｂａ，Ｂｂが、相反する方向から合流室４０内における回転仕切部材５０の同じ仕切板部間空間５５内に流入し、両パチンコ球Ｂａ，Ｂｂが衝突（ほぼ正面衝突）し、合流するのである。
【００３４】
図６〜図８に示すように、回転仕切部材５０の１つの仕切板部間空間５５に一対のパチンコ球Ｂａ，Ｂｂ（図６〜図８中にパチンコ球Ｂｂは示されていない）が流入することによって、その重力によって回転仕切部材５０は回転（図６〜図８中時計回り方向）するとともに、その一対のパチンコ球Ｂａ，Ｂｂは、その回転によって仕切部材５４の支持を失って、仕切板部間空間５５（回転仕切部材５０）から落下していく。そして、その次の仕切板部間空間５５に次の一対のパチンコ球Ｂａ，Ｂｂが流入するのである。こうして、回転仕切部材５０が回転するとともに、順次、パチンコ球Ｂａ，Ｂｂが一対ごと衝突して合流するのである。
【００３５】
図９〜図１３に示すように、合流室４０（仕切板部間空間５５）内において合流した一対のパチンコ球Ｂａ，Ｂｂは、流出孔部４６（図６参照）を通って合流室４０から流出し、流出路７０を流下していく。すなわち、図１０〜図１３に示すように、一対のパチンコ球Ｂａ，Ｂｂは並んで落下部６０を同時に自然落下し、斜底部７５に到達する。その際、前述したように、斜底部７５が下方に向かうにつれて図９〜図１３中左方に向かうように斜めに形成されているため、図１１及び図１２中右側のパチンコ球Ｂｂ（第２流路３０を流れてきたパチンコ球。右球ともいう）の方が先に斜底部７５に着地し、図１２及び図１３中左側のパチンコ球Ｂａ（第１流路２０を流れてきたパチンコ球。左球ともいう）が先行し、流出路７０を左球Ｂａが先，右球Ｂｂが後の順で、パチンコ球Ｂａ，Ｂｂが１列になって流下していく。
【００３６】
以上のようにして、２列になって流入してくるパチンコ球（賞球）が１列になって流出し、図１に示すように、賞球排出装置８０へと流れていく。そして、前述したように、制御装置（図示省略）の制御の下、賞球排出装置８０から所定の数のパチンコ球が賞球として上側球皿８２ａ及び下側球皿８２ｂへと流れていく。詳しくいえば、まず上側球皿８２ａへ流れていき、上側球皿８２ａが満杯の際には下側球皿８２ｂへ流れていくのである。
【００３７】
上述のように２列になって流入してきたパチンコ球が１列になって流出していく際に、この賞球整流送出装置１０では次のような作用効果がある。
図１に示すように、賞球貯留部２，賞球整流送出装置１０，賞球排出装置８０は、上方から下方にかけてその順で設けられており、パチンコ球は、自重に基づいて、前述したように、その順に流下していく。すなわち、賞球貯留部２から一対の整流路４ａ，４ｂを経て賞球整流送出装置１０に流入してきたパチンコ球は、賞球貯留部２との高低差に基づくエネルギーを有している。
【００３８】
そして、前述のように、この賞球整流送出装置１０では、そのエネルギーを有する一対のパチンコ球Ｂａ，Ｂｂが合流室４０において衝突（ほぼ正面衝突）する（図１０参照）。このため、その衝突の際にその両パチンコ球Ｂａ，Ｂｂのエネルギーが散逸し、その分、両パチンコ球Ｂａ，Ｂｂのエネルギーが小さな状態となる。両パチンコ球Ｂ（Ｂａ，Ｂｂ）はその小さなエネルギーの状態で賞球整流送出装置１０から流下していくため（図５参照）、賞球排出装置８０（図１参照）に加わるパチンコ球の圧力は、衝突によって散逸したエネルギーの分、小さなものとなり、賞球排出装置８０の保護が図られるのである。
【００３９】
また、前述したように、この賞球整流送出装置１０では、合流室４０に回転仕切部材５０が設けられている（図５及び図６参照）。そして、第１流路２０を流れてきて合流室４０内に流入するパチンコ球Ｂａと、第２流路３０を流れてきて合流室４０内に流入するパチンコ球Ｂｂとが、回転仕切部材５０の仕切板部間空間５５において一対ずつ確実に衝突し合流するようにされている。
このように、この賞球整流送出装置１０では、回転仕切部材５０によって、２列状態のパチンコ球を１列状態に整流させるとともに賞球排出装置８０に加わる球圧を軽減させる、という上述した作用効果が確実に得られるのである。
【００４０】
また、図１４に基づいて前述したように、回転仕切部材５０の各仕切板部５４の両方の側端面部５６ａ，５６ｂは、図６中時計回り方向に向かうにつれて外側方向（すなわち、各仕切板部５４の幅が広くなる方向）に斜めに形成されている。このため、図１５に示すように、仕切板部５４が、合流室４０内に流入しようとするパチンコ球Ｂａ，Ｂｂの流入を遮るような角度状態の場合でも、そのパチンコ球Ｂａ，Ｂｂがその仕切板部５４の各側端面部５６ａ，５６ｂに衝突することによって、その仕切板部５４が図１５中下方向（図６中時計回り方向）に移動しようとする。こうして回転仕切部材５０が回転し、仕切板部間空間５５内にその一対のパチンコ球Ｂａ，Ｂｂが流入できるのである。このようにして、回転仕切部材５０の円滑な回転が確保され、上述した回転仕切部材５０の作用効果が確実に得られるのである。
【００４１】
【発明の効果】
以上のように、この発明の賞球整流送出装置では、２列になって流下してくる賞球が１列に整流されるとともに、それよりも下流側に設けられた装置に加わる賞球の圧力が軽減されることとなる。このため、当該下流側に設けられた装置に対する負荷が軽減され、その装置の保護が図られる。
【図面の簡単な説明】
【図１】本発明の一実施形態の賞球整流送出装置を有するパチンコ機の全体の概略を示す背面図である。
【図２】本発明の一実施形態の賞球整流送出装置を示す斜視図である。
【図３】本発明の一実施形態の賞球整流送出装置を示す分解斜視図である。
【図４】本発明の一実施形態の賞球整流送出装置を示す斜視図である。蓋部材を取り外し中央部材を一部破断した状態を示す。
【図５】本発明の一実施形態の賞球整流送出装置を示す正面図である。蓋部材を取り外し中央部材を一部破断した状態を示す。
【図６】本発明の一実施形態の賞球整流送出装置を示す縦断面図である。合流室に対するパチンコ球の流入・流出の第１段階を示す。図５中のVI−VI線で切断したものであり、パチンコ球については着目するもののみを示す（図６及び図７も同様である）。
【図７】本発明の一実施形態の賞球整流送出装置を示す縦断面図である。合流室に対するパチンコ球の流入・流出の第２段階を示す。
【図８】本発明の一実施形態の賞球整流送出装置を示す縦断面図である。合流室に対するパチンコ球の流入・流出の第３段階を示す。
【図９】本発明の一実施形態の賞球整流送出装置の作用（第１段階）を示す図である。図５のうちの要部（回転仕切部材を取り外した状態）を示す図であり、パチンコ球については、着目する一対のみを示す（図１０〜図１３も同様である）。
【図１０】本発明の一実施形態の賞球整流送出装置の作用（第２段階）を示す図である。
【図１１】本発明の一実施形態の賞球整流送出装置の作用（第３段階）を示す図である。
【図１２】本発明の一実施形態の賞球整流送出装置の作用（第４段階）を示す図である。
【図１３】本発明の一実施形態の賞球整流送出装置の作用（第５段階）を示す図である。
【図１４】本発明の一実施形態の賞球整流送出装置のうちの回転仕切部材を取り出して拡大して示す斜視図である。図２〜図４とは反対側から見た斜視図である。
【図１５】本発明の一実施形態の賞球整流送出装置のうちの回転仕切部材の仕切板部の側端面部の作用を示す図である。図５とは反対側から見た状態の要部を示す。パチンコ球については、着目する一対のみを示す。
【符号の説明】
１０  賞球整流送出装置
２０  第１流路
３０  第２流路
４０  合流室（合流部）
５０  回転仕切部材
５２  中心軸（回転軸線）
５４  仕切板部
５５  仕切板部間空間
５６ａ，５６ｂ  側端面部
６０  落下部
７２  第２斜め流出部（排出路）
７５  斜底部
Ｂ，Ｂａ，Ｂｂ  パチンコ球（賞球）
【図１】
0003682391.tif 000002
【図２】
0003682391.tif 000003
【図３】
0003682391.tif 000004
【図４】
0003682391.tif 000005
【図５】
0003682391.tif 000006
【図６】
0003682391.tif 000007
【図７】
0003682391.tif 000008
【図８】
0003682391.tif 000009
【図９】
0003682391.tif 000010
【図１０】
0003682391.tif 000011
【図１１】
0003682391.tif 000012
【図１２】
0003682391.tif 000013
【図１３】
0003682391.tif 000014
【図１４】
0003682391.tif 000015
【図１５】
0003682391.tif 000016